(57)【要約】【課題】データ処理装置の周囲にいる者を驚かせるおそれをなくすと共に、操作性の向上を図る。【解決手段】記録媒体に記録されたデータを読み取る複数のデータ読取装置２、３、４と、データを表示する表示部２４を具備し、データ読取装置２、３、４を制御するデータ処理装置５と、データ読取装置２、３、４に格納された記録媒体に記録されたデータの取得要求をデータ処理装置５に対して行う複数の子機８、９とを備えて構成されており、データ処理装置５は、スタンバイ状態において子機８、９からデータの取得要求があった場合に、表示部２４を点灯させずに起動する。【選択図】図１
2005301683.tif 000002
【特許請求の範囲】
【請求項１】
記録媒体に記録されたデータを読み取る一又は複数のデータ読取装置と、
前記データを表示する表示部を具備し、前記データ読取装置を制御するデータ処理装置と、
前記データ読取装置に格納された記録媒体に記録された前記データの取得要求を前記データ処理装置に対して行う一又は複数の子機とを備えて構成されており、
前記データ処理装置及び／又は前記データ読取装置は、スタンバイ状態において前記子機から前記データの取得要求があった場合に、前記表示部を点灯させずに起動することを特徴とするデータ処理システム。
【請求項２】
前記データ処理装置及び／又は前記データ読取装置は、各種指示を入力する入力部を備え、
前記入力部は、前記子機からの前記データの取得要求に基づいて前記データ処理装置を起動した場合に、所定の操作が禁止されることを特徴とする請求項１に記載のデータ処理システム。
【請求項３】
前記子機からの前記データの取得要求に基づいて前記データ処理装置を起動した場合に点灯する発光部が設けられていることを特徴とする請求項１又は２に記載のデータ処理システム。
【請求項４】
前記表示部は、前記子機からの前記データの取得要求に基づいて稼動している旨を表示することを特徴とする請求項１から３のいずれか一項に記載のデータ処理システム。
【請求項５】
前記表示部は、複数の前記子機と接続されている場合に、どの子機からの前記データの取得要求によりデータ処理装置が稼動しているかを識別することができるマークを表示することを特徴とする請求項１から４のいずれか一項に記載のデータ処理システム。
【発明の詳細な説明】
【技術分野】
【０００１】
この発明は、データ処理システムに関する。
【背景技術】
【０００２】
従来、静止画若しくは動画を含む画像又は音声を表す様々な形式のデータは、例えばＣＤ（Compact Disc）、ＤＶＤ（Digital Versatile Disc）、ＨＤＤ（Hard Disc Drive）若しくはメモリ媒体等の記録媒体により、またはＵＳＢ等の有線伝送媒体若しくは無線ＬＡＮ等の無線伝送媒体を介して、ＵＳＢ（Universal Serial Bus）、ＴＣＰ／ＩＰ（Transmission Control Protocol／Internet Protocol）等のインターネットプロトコル、ＩＥＥＥ８０２．１１ｂ（無線ＬＡＮプロトコル）等の伝送形式に基づいて通信により配布されている。
【０００３】
このようにして配布されるデータを再生するためのシステムとして、例えば１台のデータ処理装置に複数のディスクチェンジャを接続し、ＣＤ、ＤＶＤ等に記録されたデータを再生することができるデータ再生システムが開発されている（例えば、特許文献１、２参照）。各ディスクチェンジャは、多数のディスクを格納するディスク格納部と、ディスクに記録されたコンテンツデータを再生する再生部とを備えて構成されており、データ処理装置からの再生指示に応じて指示されたディスクを再生するようになっている。
【０００４】
また、最近では、ＤＶＤ又はＣＤ等のディスクが格納可能であり、かつ各種データの読み取り可能なディスクチェンジャ等の複数のデータ読取装置と、これら複数のデータ読取装置に格納されたディスク又は内蔵されたＨＤＤ（Hard Disc Drive）に記録されたデータを再生するデータ処理装置と、データ処理装置を介して読み出したデータを再生する子機とを備えたデータ処理システムが開発されている。このデータ処理システムに具備されるデータ処理装置は、例えば建物のメインルームであるリビングに設置され、使用者はメインルームにて音楽や映画を楽しむことが可能であり、子機はゲストルーム又は子供部屋等のリビング以外の部屋、いわゆるサブルームに設置され、使用者はサブルームにいても所望する音楽や映画を楽しむことができるようになっている。
【特許文献１】特開平９−２７４５７９号公報
【特許文献２】特開平８−７５４６号公報
【発明の開示】
【発明が解決しようとする課題】
【０００５】
しかしながら、上述したデータ処理システムでは、メインルームにあるデータ処理装置がスタンバイ状態の場合には、サブルームに設置された子機がデータ処理装置から各種データを取得することができないため、子機からデータ処理装置に対して電源を入れる旨の信号が送信され、その信号に基づいてデータ処理装置を起動させるが、起動と同時に制御部に具備された表示部が点灯することにより、データ処理装置の周囲にいる者にとっては突然表示部が点灯したように感じるので、非常に驚かされるという問題が生じている。
【０００６】
また、データ処理装置の周囲にいる者は、子機から送信された指示信号に基づいてデータ処理装置が起動したと認識することができないため、データ処理装置の電源が入ったままの状態で放置されていると認識されて、誤ってデータ処理装置の電源が切られてしまうという問題も生じている。
【０００７】
本発明は前記した点に鑑みてなされたものであり、データ処理装置の周囲にいる者を驚かせるおそれをなくすと共に、操作性の向上を図ることが可能なデータ処理システムを提供することを目的とする。
【課題を解決するための手段】
【０００８】
請求項１に記載の発明に係るデータ処理システムは、
記録媒体に記録されたデータを読み取る一又は複数のデータ読取装置と、
前記データを表示する表示部を具備し、前記データ読取装置を制御するデータ処理装置と、
前記データ読取装置に格納された記録媒体に記録された前記データの取得要求を前記データ処理装置に対して行う一又は複数の子機とを備えて構成されており、
前記データ処理装置及び／又は前記データ読取装置は、スタンバイ状態において前記子機から前記データの取得要求があった場合に、前記表示部を点灯させずに起動することを特徴とする。
【０００９】
請求項２に記載の発明に係るデータ処理システムは、前記データ処理装置及び／又は前記データ読取装置が、各種指示を入力する入力部を備え、
前記入力部が、前記子機からの前記データの取得要求に基づいて前記データ処理装置を起動した場合に、所定の操作が禁止されることを特徴とする。
【００１０】
請求項３に記載の発明に係るデータ処理システムは、前記子機からの前記データの取得要求に基づいて前記データ処理装置を起動した場合に点灯する発光部が設けられていることを特徴とする。
【００１１】
請求項４に記載の発明に係るデータ処理システムは、前記表示部が、前記子機からの前記データの取得要求に基づいて稼動している旨を表示することを特徴とする。
【００１２】
請求項５に記載の発明に係るデータ処理システムは、前記表示部が、複数の前記子機と接続されている場合に、どの子機からの前記データの取得要求によりデータ処理装置が稼動しているかを識別することができるマークを表示することを特徴とする。
【発明の効果】
【００１３】
本発明によれば、記録媒体に記録されたデータを読み取る一又は複数のデータ読取装置と、データを表示する表示部を具備し、データ読取装置を制御するデータ処理装置と、データ読取装置に格納された記録媒体に記録されたデータの取得要求をデータ処理装置に対して行う一又は複数の子機とを備えて構成されており、データ処理装置及び／又はデータ読取装置は、スタンバイ状態において子機からデータの取得要求があった場合に、表示部を点灯させずに起動するので、外見上はスタンバイ状態のままでデータ処理装置を起動することが可能となり、これによって、データ処理装置の周囲にいる者を驚かせるおそれをなくすことができる。
【００１４】
また、データ処理装置に具備された入力部は、子機からのデータ取得要求に基づいてデータ処理装置を起動した場合に、所定の操作が禁止されるので、稼動中のデータ処理装置を停止させる等の誤操作を防止することが可能となり、これによって、操作性の向上を図ることができる。
【発明を実施するための最良の形態】
【００１５】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１６】
図１から図５を参照しながら、本実施形態におけるデータ処理システムを説明する。
本実施形態におけるデータ処理システム１には、図１に示すように、データ読取装置２、３、４及びデータ処理装置５が備えられており、これらデータ読取装置２、３、４及びデータ処理装置５は、ＲＳ−２３２Ｃ、ＩＥＥＥ１３９４等に基づきデータ伝送を行う接続線６を介して互いに直列状に接続され、例えばユーザの自宅のリビングルーム等、いわゆるメインルームに設置されている。
【００１７】
なお、接続線６は、制御信号、音声及び映像信号を送受信することが可能であるが、音声及び映像信号については、別途ＲＣＡコード等のＡＶ信号伝送線を設けて送受信されるようになっていてもよい。
【００１８】
また、メインルームとは別の部屋、例えば子供部屋又はベッドルーム等のサブルームには、自宅の電話回線、いわゆるＨＰＮＡ（Home Phoneline Networking Alliance）等を利用した接続線７を介してメインルームのデータ処理装置５と接続された子機８、９が各部屋に一台ずつ配置されている。
【００１９】
以下、上述したデータ読取装置２、３、４、データ処理装置５及び子機８、９について個別詳細に説明する。
【００２０】
まず始めに、データ読取装置２、３、４について説明する。
本実施形態におけるデータ読取装置２、３、４には、例えば４００枚のディスク（ＣＤ、ＤＶＤ等）を格納することができるチェンジャ等であって、ロータリートレイ（図示せず）が備えられており、このロータリートレイにディスクが格納されると、ロータリートレイに格納されているディスクに記録された音声データ等のコンテンツデータ、または、例えばＴＯＣ情報、ディスクコード（ディスク製造元及びカタログ番号等の情報）、ディスクタイトル、トラックタイトル等のテキストデータ等を含まれたディスク関連データを予め読み取るようになっている。また、複数のデータ読取装置が設置された場合に、各データ読取装置を一意的に識別することができるように、各データ読取装置２、３、４には、それぞれ固有の機器ＩＤが設定されている。
【００２１】
また、データ読取装置２、３、４には、入力部及び表示部（共に図示せず）が備えられており、入力部には、データ読取装置２、３、４の操作に係る各種操作キー若しくは操作ダイアル（共に図示せず）、各データ読取装置２、３、４を起動するための電源ボタン（図示せず）等が具備され、表示部には、ＬＣＤ（Liquid Crystal Display）、プラズマディスプレイ等の表示装置（図示せず）から構成されており、例えば再生中ディスクのトラック番号、再生中ディスクのＴＯＣ情報、データ読取装置２、３、４の各種動作モード、図示しないディスク交換口の開閉状態等を表示するようになっている。
【００２２】
さらに、データ読取装置２、３、４には、インターフェース（図示せず）が備えられ、このインターフェースに接続された接続線６を介して、データ処理装置５との間でデータの送受信を行うようになっている。
【００２３】
次に、図２を用いて子機について説明する。
本実施形態における子機８、９には、図示しないＣＰＵ（Central Processing Unit）、ＲＯＭ（Read Only Memory）及びＲＡＭ（Random Access Memory）が具備されたマイクロコンピュータ１０が備えられており、子機８、９を統括的に制御するようになっている。このうち、ＲＯＭには、子機８、９を制御するための主制御プログラム又はこのプログラムに係る各種アプリケーションプログラムが格納され、ＲＡＭには、これら各種プログラムの実行ファイル又はその実行に際して生じる各種データ等が一時的に格納されるようになっている。また、マイクロコンピュータ１０には、電気回線１１を介して表示部１２、入力部１３、出力部１４及び通信部１５が接続されている。
【００２４】
表示部１２には、ＬＣＤ、プラズマディスプレイ等の表示装置（図示せず）から構成されており、マイクロコンピュータ１０から送信される各種データ、例えばデータ読取装置２、３、４に格納されているディスク名又は曲名等の情報、再生された映像信号が表示されるようになっている。
【００２５】
入力部１３には、データ読取装置２、３、４及びデータ処理装置５をそれぞれ制御するための各種指示を入力する入力キー、指示内容等の選択時に用いるジョグダイアル及び子機８、９を起動するための電源ボタン等を備えて構成されている。
【００２６】
出力部１４には、Ｄ／Ａ変換器と、アンプと、スピーカ若しくは複数のスピーカからなるスピーカシステム（共に図示せず）とを備えて構成されており、マイクロコンピュータ１０から送信される各種音声データ、例えばデコードされたコンテンツデータの内容等をアナログ信号に変換してスピーカから出力されるようになっている。
【００２７】
通信部１５には、インターフェース、例えばＨＰＮＡ等が備えられ、この通信部に接続された接続線７を介して、データ処理装置５との間でデータの送受信を行うようになっている。
【００２８】
次に、データ処理装置５について説明する。
本実施形態におけるデータ処理装置５には、図３に示すように、マイクロコンピュータ１６が備えられており、このマイクロコンピュータ１６は、図示しないＣＰＵ、ＲＯＭ及びＲＡＭを備えて構成されており、データ読取装置２、３、４を統括的に制御するようになっている。このうち、ＲＯＭには、データ読取装置２、３、４を制御するための主制御プログラム又はこのプログラムに係る各種アプリケーションプログラムが格納され、ＲＡＭには、これら各種プログラムの実行ファイルやその実行に際して生じる各種データ等が一時的に格納されるようになっている。
【００２９】
また、マイクロコンピュータ１６には、ディスク関連データの詳細内容、例えばディスクが格納されているチェンジャのチェンジャコードや、ディスク名又は曲名の頭文字等をキーにしてソートする機能と共に、入力された曲名又はその一部に合致する曲が記録されたディスクをリストデータに基づいて文字検索し、ディスク番号、ディスク名等の検索結果を表示する機能も具備されており、これらの機能によって、使用者は、自分好みの順序でディスクのリスト表示が可能となり、ディスクの選択が容易となるようになっている。
【００３０】
このようなマイクロコンピュータ１６には、電気回線１７を介してインターフェース１８、通信部１９、エンコーダ／デコーダ２０、ＨＤＤ２１、入力部２２、出力部２３、表示部２４及び発光部２５が接続されている。
【００３１】
インターフェース１８は、シリアルインターフェース、例えばＲＳ−２３２Ｃ、ＩＥＥＥ１３９４等が備えられており、接続線６を介してデータ読取装置２、３、４に具備されたインターフェースと接続されて、データ読取装置２、３、４との間でデータの送受信を行うようになっている。
【００３２】
通信部１９は、インターフェース、例えばＨＰＮＡに応じたインターフェース等が備えられており、接続線７を介して子機８、９に具備された通信部１５と接続されて、子機８、９との間でデータの送受信を行うようになっている。
【００３３】
エンコーダ／デコーダ２０は、データ読取装置２、３、４から送信されるコンテンツデータを始めとする各種データを、ＭＰ３（MPEG1 Audio Layer-3）、ＷＭＡ（Windows（登録商標）Media Audio）、ＡＴＲＡＣ（Adaptive Transform Acoustic Coding）、ＭＰＥＧ−４、Ｈ．２６４等の所定の圧縮ファイル形式に圧縮エンコードするエンコーダと、圧縮エンコードされているデータを復号処理（以下、デコード）するデコーダとを備えて構成されている。
【００３４】
ＨＤＤ２１は、再生（読み出し）及び／又は書き込み動作が自在な記憶デバイスであり、各データ読取装置２、３、４に格納されている各ディスクのコンテンツデータ及びディスク関連データを始めとする各種音声データ、映像データを、ＭＰ３、ＷＭＡ、ＡＴＲＡＣ、ＭＰＥＧ−４、Ｈ．２６４等の所定の圧縮ファイル形式で記録すると共に、高速再生処理機能を利用して同時に複数のファイル又は同一のファイル内の異なる位置のデータを再生するようになっている。
【００３５】
入力部２２は、データ読取装置２、３、４又はデータ処理装置５を制御するための各種指示を入力する入力キー、指示内容等の選択時に用いるジョグダイアル及びデータ処理装置５を起動させるための電源ボタン等を備えて構成されており、子機８、９に具備された入力部１４により送信されたデータ取得要求に基づいてデータ処理装置５を起動させた場合には、電源のＯＮ・ＯＦＦ動作等のような所定の操作が禁止されるようになっている。
【００３６】
出力部２３は、スピーカ又は複数のスピーカから構成されたスピーカシステム等を備えて構成されており、マイクロコンピュータ１８から送信される各種音声データ、例えばデコードされたコンテンツデータの内容等を、アナログ信号に変換して上記スピーカから出力するようになっている。なお、出力部２３は、ドルビーデジタル（登録商標）、５．１チャンネル等の各種サラウンド設定に対応したものであってもよい。
【００３７】
表示部２４は、ＬＣＤ、プラズマディスプレイ等の表示装置（図示せず）を備えて構成されており、マイクロコンピュータ１８から送信される動画若しくは静止画又はデコードされたディスク関連データの内容等の各種表示データを表示装置に表示するようになっている。また、この表示部２４は、データ処理装置５に具備された入力部２２により送信されたデータ取得要求に基づいてデータ処理装置５を起動させた場合には、バックライトにより表面全体が一定時間点灯するようになっているが、子機８、９に具備された入力部１３により送信されたデータ取得要求に基づいてデータ処理装置５を起動させる場合には、点灯しないようになっている。
【００３８】
なお、子機８、９により送信されたデータ取得要求に基づいて稼動している場合には、入力部２２における所定の操作が禁止されると共に、これらの操作した際に「子機使用中」の表示を表示部２４に表示してもよいが、表示部２４は点灯しないようになっている。
【００３９】
また、本実施形態に示すように、複数のサブルームに子機８、９をそれぞれ設置した場合には、どのサブルームに設置された子機８、９からのデータ取得要求により稼動しているかを判別することができるように、各子機８、９に対して使用者が任意に設定した番号等のマークを、点灯せずに表示してもよい。
【００４０】
発光部２５は、ＬＥＤ（Light Emitting Diode）等の発光部材から構成されており、子機８、９により送信されたデータ取得要求に基づいてデータ処理装置５を起動させる場合に発光するようになっている。この発光部２５は、表示部２３よりも小さい寸法に形成されており、子機８、９の指示により起動中である旨を表示する目的で設けられているので、周囲にいる者を驚かせるおそれがないようになっている。
【００４１】
次に、本実施形態の作用について説明する。
データ処理装置５における入力部２２によりデータの再生指示信号が入力されると、図４に示すように、この再生指示信号に基づいて、データ読取装置２、３、４が格納された記録媒体に記録されたコンテンツデータの読み出しが開始され（ステップＳ１）、読み出されたコンテンツデータはデータ処理装置５に送信された後（ステップＳ２）、マイクロコンピュータ１８により圧縮エンコードされて（ステップＳ３）、圧縮ファイルとしてＨＤＤ２１に記録される（ステップＳ４）。さらに、この圧縮ファイルは、エンコーダ／デコーダ２０によりデコードされ（ステップＳ５）、デコードされたコンテンツデータが出力部２４から出力される（ステップＳ６）。
【００４２】
一方、通信部１５、１９を介して子機８、９における入力部２２によりコンテンツデータの再生指示信号が入力された場合は、図５に示すように、まず始めに、データ処理装置５が稼動しているか否かが判別され（ステップＳ７）、データ処理装置５が稼動状態であると判別された場合（ステップＳ７；ＹＥＳ）には、上述したような一連の動作が行われるが、データ処理装置５がスタンバイ状態であると判別された場合（ステップＳ７；ＮＯ）には、データ処理装置５に対してデータの再生指示信号が送信されたか否かの判別がされる（ステップＳ８）。ここで、再生指示信号が送信されていないと判別された場合（ステップＳ８；ＮＯ）には、再度、再生指示信号が送信されるが、再生指示信号が送信されたと判別された場合（ステップＳ８；ＹＥＳ）には、子機８、９からデータ処理装置５に対して電源を入れる旨の指示信号が送信され（ステップＳ９）、データ処理装置５を起動させる（ステップＳ１０）。起動後、再生指示信号に基づいて、データ読取装置２、３、４が格納された記録媒体に記録されたコンテンツデータの読み出しが開始され、読み出されたコンテンツデータはデータ処理装置５に送信される。
【００４３】
さらに、マイクロコンピュータ１８により圧縮エンコードされ、圧縮ファイルとしてＨＤＤ２１に記録された後、エンコーダ／デコーダ２０によりデコードされ、データ処理装置５から子機８、９にコンテンツデータが送信される（ステップＳ１１）。このデータ送信が完了したと判別されると（ステップＳ１１；ＹＥＳ）、データ処理装置５に対して電源を切る旨の指示信号が送信されて、データ処理装置５を停止させる（ステップＳ１２）。
【００４４】
このとき、データ処理装置５の起動と同時に小さい寸法で形成された発光部２５を点灯させて、データ処理装置５に具備された表示部２４は点灯させないので、外見上はスタンバイ状態と略同一の状態であり、データ処理装置５の周囲にいる者に感知されずに起動することができる。
【００４５】
また、データ処理装置５に具備された入力部２２は、電源のＯＮ・ＯＦＦ動作等の所定の操作が禁止された状態なので、操作上はスタンバイ状態と同一の状態であり、稼動中のデータ処理装置５を停止させる等の誤操作を防止することができる。
【００４６】
以上より、本実施形態によれば、記録媒体に記録されたデータを読み取る複数のデータ読取装置２、３、４と、データを表示する表示部２４を具備し、データ読取装置２、３、４を制御するデータ処理装置５と、データ読取装置２、３、４に格納された記録媒体に記録されたデータの取得要求をデータ処理装置５に対して行う複数の子機８、９とを備えて構成されており、データ処理装置５は、スタンバイ状態において子機８、９からデータの取得要求があった場合に、表示部２４を点灯させずに起動するので、外見上はスタンバイ状態と同様の状態でデータ処理装置５を起動することが可能となり、これによって、データ処理装置５の周囲にいる者を驚かせるおそれをなくすことができる。
【００４７】
また、データ処理装置５に具備された入力部２２は、子機８、９からのデータ取得要求に基づいてデータ処理装置５を起動した場合に、所定の操作が禁止されるので、稼動中のデータ処理装置５を停止させる等の誤操作を防止することが可能となり、これによって、操作性の向上を図ることができる。
【００４８】
なお、子機８、９からのデータ取得要求に基づいてデータ処理装置５が起動されている時に、データ処理装置５に対して操作キーによる操作があった場合には、子機８、９からのデータ取得要求に基づいて動作中であり、データ処理装置５に対して操作が行えない旨の表示を行うようにしてもよい。
【００４９】
また、本実施形態におけるデータ再生システム１は、複数のデータ読取装置２、３、４と、子機８、９とから構成されているが、上記した実施形態に限定されず、例えばそれぞれ１台ずつであってもよい。
【００５０】
さらに、本実施形態におけるデータ再生システム１は、スタンバイ状態のデータ処理装置５に対してコンテンツデータの再生指示信号が送信された場合に、表示部２４に替えて発光部２５を点灯させるが、上記した実施形態に限定されず、例えばディスク関連データの表示指示信号が送信された場合であってもよい。
【００５１】
さらに、子機８、９からのデータ取得要求に基づいてスタンバイ状態のデータ処理装置５が起動されるのに伴い、スタンバイ状態のデータ読取装置２、３、４も起動される場合、データ読取装置２、３、４に具備された入力部に対して、データ処理装置５と同様の表示制御が行われてもよいし、データ読取装置２、３、４に具備された表示部に対して、データ処理装置５と同様に電源のＯＮ・ＯＦＦ動作等の所定の操作が禁止されていてもよい。この場合、データ読取装置２、３、４の何れかがデータ処理装置５の機能を兼ねる構成であってもよい。
【図面の簡単な説明】
【００５２】
【図１】本発明に係るデータ処理システムの構成を示すブロック図である。
【図２】本発明に係るデータ処理システムに具備された子機の内部構成を示すブロック図である。
【図３】本発明に係るデータ処理システムに具備されたデータ処理装置の内部構成を示すブロック図である。
【図４】本発明に係るデータ処理システムの通常使用時における表示制御の流れを示すフローチャートである。
【図５】本発明に係るデータ処理システムに具備された子機からデータ処理装置に対してデータ取得要求があった場合における表示制御の流れを示すフローチャートである。
【符号の説明】
【００５３】
１  データ処理システム
２、３、４  データ読取装置
５  データ処理装置
８、９  子機
２２  入力部
２４  表示部
２５  発光部
【図１】
2005301683.tif 000003
【図２】
2005301683.tif 000004
【図３】
2005301683.tif 000005
【図４】
2005301683.tif 000006
【図５】
2005301683.tif 000007